(57)【要約】【課題】光ピックアップに積層１／４波長板を使用した際に、積層１／４波長板を光路から若干傾斜させた場合であっても所望の機能を発揮する積層１／４波長板を提供することを目的とする。【解決手段】図１は、本発明に係る積層１／４波長板１５の入射方向から見た図であり、第一の波長板１６と第二の波長板１７の夫々の光学軸を示す。実線の光学軸は第一の波長板１６の光学軸を示し、点線の光学軸は第二の波長板１７の光学軸を示し、第一の波長板１６の光学軸の角度θ１と第二の波長板１７の光学軸の角度θ２は、第一の波長板１６と第二の波長板１７において夫々主面内に投影した光学軸を示し、所定量、予めずらせて積層する。【選択図】    図１
2006040359.tif 000002
【特許請求の範囲】
【請求項１】
二枚の光学結晶板を貼り合わせた構造を備えた積層１／４波長板であって、
空気の屈折率をｎ、光学結晶板の屈折率をｎ’、１／４波長板に入射する光線の入射角をΨ（Ψは０ではない）、１／４波長板を通過する光線と板面法線とのなす角度をΨ’とした時に、
Ψ’＝ｓｉｎ−１｛（ｎ／ｎ’）・ｓｉｎΨ｝
の関係式を満足すると共に、
第一の光学結晶板の板面法線と光学軸とのなす角度をβ１、第二の光学結晶板の板面法線と光学軸とのなす角度をβ２、入射する光線の入射偏波面と第一の光学結晶板の光学軸を板面に投影したものとのなす角度をθ１、入射する光線の入射偏波面と第二の光学結晶板の光学軸を板面に投影したものとのなす角度をθ２とした時に、
入射する光線の入射偏波面と第一の光学結晶板の光学軸を入射する光線に垂直な面に投影したものとのなす角度θ１’と、入射する光線の入射偏波面と第二の光学結晶板の光学軸を入射する光線に垂直な面に投影したものとのなす角度θ２’とが
θ１’＝ｔａｎ−１｛ｔａｎθ１・ｃｏｓΨ＋
ｔａｎ（π−β１）・ｃｏｓΨ’・ｔａｎΨ’／ｃｏｓθ１｝
θ２’＝ｔａｎ−１｛ｔａｎθ２・ｃｏｓΨ＋
ｔａｎ（π−β２）・ｃｏｓΨ’・ｔａｎΨ’／ｃｏｓθ２｝
θ１’＝θ２’
の関係式を満足していることを特徴とする積層１／４波長板。
【請求項２】
前記二枚の光学結晶板は、複屈折性もしくは複屈折性と施光性とを備えた結晶材料にて構成されていることを特徴とする請求項１に記載の積層１／４波長板。
【請求項３】
前記二枚の光学結晶板を構成する結晶材料が水晶であることを特徴とする請求項１又は２に記載の積層１／４波長板。
【請求項４】
直線偏光されたレーザ光を出射する光源から光記憶媒体までの光路上に、請求項１乃至３の何れかに記載の積層１／４波長板を、その板面法線とレーザ光の光軸とのなす角度がΨとなるように配設したことを特徴とする光ピックアップ。
【発明の詳細な説明】
【技術分野】
【０００１】
本発明は積層１／４波長板とそれを用いた光ピックアップに関し、特に積層１／４波長板を光ピックアップに使用した際に、積層１／４波長板による戻りレーザ光の影響を防止するため、積層１／４波長板を光路に対して若干傾斜して配置しても所望の特性が得られるよう改良した積層１／４波長板とそれを用いた光ピックアップに関するものである。
【背景技術】
【０００２】
ＣＤ−Ｒ、ＣＤ−ＲＷ、ＤＶＤ±Ｒ、ＤＶＤ±ＲＷ、ＤＶＤ−ＲＡＭ等の光ディスクに対する情報の記録や再生を行う際は、光ピックアップが使用され、該光ピックアップには、光ディスクに照射するレーザ光を円偏光とするために１／４波長板が用いられる。
近年、光ピックアップに配置された光学部品において、レーザ光が光学部品の光学面を透過せず表面上で反射が生じ、該反射による戻りレーザ光がＬＤに到達してレーザ光量に影響し、光ピックアップの特性劣化の原因となることが指摘されている。
【０００３】
そこで、戻りレーザ光に対する対策として従来、特開２００３−２４８９５９号公報により開示されている手法が提案されている。該提案によれば、戻りレーザ光を防止するために、光ピックアップで用いられ表面反射により戻りレーザ光を発生させる１／４波長板を、光路に対して直交するよう配置せずに若干傾斜させて配置させることにより、１／４波長板において発生する戻りレーザ光が光路を外れて反射するようにしたもので、戻りレーザ光がＬＤに到達してレーザ光量に悪影響を与えることを防止する。
【０００４】
図６は、従来の光ピックアップの構成例である。図６は、上述したように１／４波長板を配置する際に光路に対して若干傾斜させたものであり、光ピックアップ１は、所定の波長のレーザ光を出射するＬＤ２と、ＬＤ２が出射したレーザ光を回折して３ビーム化するグレーティング３と、所定の方向からのレーザ光を透過、或いは反射するビームスプリッタ４と、ビームスプリッタ４を透過したレーザ光を平行光とするコリメートレンズ５と、光ディスク６に向かってレーザ光を反射するミラー７と、ミラー７により反射された直線偏光のレーザ光を円偏光に変換すると共に光ディスク６に形成したピット８により反射した円偏光のレーザ光を直線変更に変換する１／４波長板９と、１／４波長板９を透過するレーザ光を光ディスク６に形成したピット８に集光して照射する対物レンズ１０と、光ディスク６に形成したピット８により反射したレーザ光を検出する光検出部１１とにより構成する。
【０００５】
図６の動作を説明すると、ＬＤ２から出射した所定の波長のレーザ光は、グレーティング３に入射され、３ビーム法によるトラッキング制御を行うためレーザ光は３ビームに分かれて出射する。グレーティング３を出射したレーザ光は、ビームスプリッタ４をそのまま透過してコリメートレンズ５に入射し、平行光となる。次に、平行光となったレーザ光は、ミラー７において９０°全反射して１／４波長板９に入射し、直線偏光であったレーザ光を円偏光に変換して透過して、対物レンズ１０に入射する。対物レンズ１０においては、入射したレーザ光を集光し、光ディスク６に形成したピット８に照射する。
【０００６】
一方、光ディスクに形成したピット８において反射してレーザ光は、対物レンズ１０を介して１／４波長板９に入射し、円偏光であったレーザ光を直線偏光に変換し、透過する。
１／４波長板９を透過したレーザ光は、ミラー７において９０°全反射し、コリメートレンズ５を介してビームスプリッタ４に入射する。ビームスプリッタ４に入射したレーザ光は、９０°全反射して出射し、光検出器１１に入射して、光検出を行う。
【０００７】
ここで、光ピックアップの光路に配置された１／４波長板９は、若干傾斜して配置されており、１／４波長板９の入射面において反射する戻りレーザ光が、光ピックアップの光路上を伝播することはないので、ＬＤ２の発光点や光検出部１１の受光部に入射されることは無く、戻りレーザ光によるノイズの影響を排除することが出来る。
【特許文献１】特開昭５９−２１６１０８号公報
【特許文献２】特開２００３−２４８９５９号公報
【発明の開示】
【発明が解決しようとする課題】
【０００８】
１／４波長板の機能を有する波長板には、単板タイプと積層タイプとがあるのは周知である。ここでは、積層タイプの１／４波長板を使用した際に生ずる問題点について説明する。
【０００９】
積層１／４波長板としては、特開昭５９−２１６１０８号公報により提案されている構造があり、板面法線に対して夫々所定の同一角度をなす光学軸を有する複屈折性、若しくは複屈折性と施光性とを備えた結晶板である第一の波長板と第二の波長板とを、前記光学軸の各々が前記第一の波長板と第二の波長板の張り合わせ面に関して互いに対称であると共に、前記板面法線の方向から見て互いに平行である如く貼り合わせて構成する。
【００１０】
図７は、従来の積層１／４波長板の外観図であり、図７（ａ）は入射面から見た積層１／４波長板１２を示し、図７（ｂ）は積層面から見た第一の波長板１３と第二の波長板１４とを示す。図７に記載した矢印は、実線が第一の波長板、点線が第二の波長板の夫々の光学軸を示し、図７（ａ）にて示した光学軸は波長板の入射面への投影像の光学軸であり、実際は重なり合っている（同じ方向）。
【００１１】
そこで、積層１／４波長板１２における反射による戻りレーザ光の影響を防止するため、図６に示した光ピックアップのように積層１／４波長板１２を、光路に対して直交方向から若干傾斜させて配置すると、レーザ光の入射方向から見て、第一の波長板１３と第二の波長板１４の光学軸の方向が重ならずずれが生ずる。従って、本来の１／４波長板としての機能を発揮せずに、入射した直線偏光を完全な円偏光に変換出来ず、直線偏光を楕円偏光に変換して出射し、光ピックアップの光学特性に悪影響を与えるという問題が生じていた。
【００１２】
レーザ光が楕円偏光となると損失を発生する。又、レーザ光が円偏光の場合は、レーザ光が光ディスクに形成したピットで反射した際に、入射光と反射光とで鏡面対称の関係に基づいて逆回転の円偏光となって反射され、入射光と反射光とで干渉することは無いが、レーザ光が楕円偏光の場合は、入射光と反射光が異なった特性を有する楕円偏光となり、入射光と反射光とで干渉を生じ、光学特性に悪影響を与えていた。
【００１３】
更に、楕円偏光の反射光を１／４波長板１２に入射した際に所望の直線偏光に変換出来ず、ミラー７で全反射して１／４波長板１２に入射する直線偏光と、１／４波長板１２により楕円偏光から変換した直線偏光とが直交した偏光状態とならない。従って、ミラー７方向から１／４波長板１２に入射する直線偏光と、１／４波長板１２を透過する直線偏光とで干渉が生じて光学特性に悪影響を与える。
【００１４】
図８は、従来の光ピックアップにおいて、積層１／４波長板１２を光路に対して若干傾斜させて配置した際の影響を説明する図であり、図８（ａ）は、光ディスクにレーザ光を照射する様子を示し、図８（ｂ）は、第一の波長板１３と第二の波長板１４の光学軸のずれを示す。図８に示す如く従来の光ピックアップにおいては、ミラー７において９０°全反射した直線偏光のレーザ光Ｌ１は、積層１／４波長板１２に入射した後、楕円偏光に変換されたレーザ光Ｌ２となって透過する。レーザ光Ｌ２は、対物レンズ１０により集光され光ディスク６に形成したピット８上で反射し、レーザ光Ｌ３となって対物レンズ１０を介して積層１／４波長板１２に入射する。この時、レーザ光Ｌ２とＬ３は、互いに異なる特性の楕円偏光であり、互いに干渉して光学特性の劣化を招く。更に、積層１／４波長板１２に入射したレーザ光Ｌ３は、直線偏光のレーザ光Ｌ４となって透過する。この時、レーザ光Ｌ１とＬ４は、互いに直交した直線偏光とはならずに互いに干渉して光学特性の劣化が生ずる。
又、図８（ｂ）に示す如く、第一の波長板１３と第二の波長板１４の光学軸は、重なり合わずずれが生じている。
【００１５】
図９は、従来の積層１／４波長板１２を光路に対して若干傾斜させて配置した際の出射光の楕円率及び位相特性例を示す。図９は、横軸にレーザ光の波長（ｎｍ）を示し、左側縦軸は位相特性を示し、右側縦軸は楕円率を示し、本例は波長６５０ｎｍのレーザ光に対応した積層１／４波長板１２の特性について示す。図９に示す如く、波長６５０ｎｍのレーザ光に対応する特性は、楕円率≠１、位相特性≠９０°であり、１／４波長板としての機能を果たしていない。
本発明は上述したような問題を解決するためになされたものであって、光ピックアップに積層１／４波長板を使用した際に、積層１／４波長板を光路から若干傾斜させて配置した場合であっても所望の機能を発揮する積層１／４波長板とそれを用いた光ピックアップを提供することを目的とする。
【課題を解決するための手段】
【００１６】
上記目的を達成するために本発明に係わる積層１／４波長板とそれを用いた光ピックアップは、以下の構成をとる。
請求項１に記載の積層１／４波長板は、二枚の光学結晶板を貼り合わせた構造を備えた積層１／４波長板であって、空気の屈折率をｎ、光学結晶板の屈折率をｎ’、１／４波長板に入射する光線の入射角をΨ（Ψは０ではない）、１／４波長板を通過する光線と板面法線とのなす角度をΨ’とした時に、
Ψ’＝ｓｉｎ−１｛（ｎ／ｎ’）・ｓｉｎΨ｝
の関係式を満足すると共に、
第一の光学結晶板の板面法線と光学軸とのなす角度をβ１、第二の光学結晶板の板面法線と光学軸とのなす角度をβ２、入射する光線の入射偏波面と第一の光学結晶板の光学軸を板面に投影したものとのなす角度をθ１、入射する光線の入射偏波面と第二の光学結晶板の光学軸を板面に投影したものとのなす角度をθ２とした時に、入射する光線の入射偏波面と第一の光学結晶板の光学軸を入射する光線に垂直な面に投影したものとのなす角度θ１’と、入射する光線の入射偏波面と第二の光学結晶板の光学軸を入射する光線に垂直な面に投影したものとのなす角度θ２’とが
θ１’＝ｔａｎ−１｛ｔａｎθ１・ｃｏｓΨ＋
ｔａｎ（π−β１）・ｃｏｓΨ’・ｔａｎΨ’／ｃｏｓθ１｝
θ２’＝ｔａｎ−１｛ｔａｎθ２・ｃｏｓΨ＋
ｔａｎ（π−β２）・ｃｏｓΨ’・ｔａｎΨ’／ｃｏｓθ２｝
θ１’＝θ２’
の関係式を満足するよう構成する。
【００１７】
請求項２に記載の積層１／４波長板は、前記二枚の光学結晶板が、複屈折性もしくは複屈折性と施光性とを備えた結晶材料にて構成する。
【００１８】
請求項３に記載の積層１／４波長板は、前記二枚の光学結晶板を構成する結晶材料が水晶であるよう構成する。
【００１９】
請求項４に記載の光ピックアップは、直線偏光されたレーザ光を出射する光源から光記憶媒体までの光路上に、請求項１乃至３の何れかに記載の積層１／４波長板を、その板面法線とレーザ光の光軸とのなす角度がΨとなるように配設するよう構成する。
【発明の効果】
【００２０】
請求項１乃至３に記載の発明は、光ピックアップに用いる積層１／４波長板を光路から若干傾斜させて配置しても１／４波長板としての機能を損なうことが無いので、光ピックアップに本積層１／４波長板を用いる上で大きな効果を発揮する。
【００２１】
請求項４に記載の発明は、光ピックアップに本発明に係わる積層１／４波長板を使用した際に、レーザ光の戻り光を低減するために積層１／４波長板を光路から若干傾斜させて配置しても、１／４波長板としての機能を損なうことが無く、光ピックアップの性能向上を図る上で著しい効果を発揮する。
【発明を実施するための最良の形態】
【００２２】
以下、図示した実施例に基づいて本発明を詳細に説明する。
本発明は、光ピックアップにおいて、積層１／４波長板を光路より若干傾斜させて配置した際に生じる第一の波長板と第二の波長板との光学軸のずれを予め見越し、第一の波長板と第二の波長板の光学軸をずらして積層するようにした。従って、本発明における積層１／４波長板は、光路から所定量傾斜させた時に第一の波長板と第二の波長板の光学軸が重なるよう機能する。
【００２３】
図１は、本発明に係わる積層１／４波長板の構造を示し、図１（ａ）は、積層１／４波長板１５を入射方向から見た図を示し、図１（ｂ）は、積層面から見た図を示し、第一の波長板１６と第二の波長板１７の夫々の光学軸を示す。第一の波長板１６と第二の波長板１７は、光学軸の各々が第一の波長板１６と第二の波長板１７の貼り合わせ面に対して互いに対称関係になっておらず、実線の光学軸は第一の波長板１６の光学軸を示し、点線の光学軸は第二の波長板１７の光学軸を示し、第一の波長板１６の光学軸の角度θ１と第二の波長板１７の光学軸の角度θ２は、第一の波長板１６と第二の波長板１７において夫々主面内に投影した光学軸を示し、所定量、予めずらして積層する。
【００２４】
図２は、本発明に係わる光ピックアップにおいて、積層１／４波長板１５を光路に対して若干傾斜させて配置した際の影響を説明する図であり、図２（ａ）は、光ディスクにレーザ光を照射する様子を示し、図２（ｂ）は、第一の波長板１６と第二の波長板１７の光学軸を示し、図２（ｃ）は、レーザ光が積層１／４波長板１５を透過する様子を示す。図２（ａ）に示す如く本発明に係わる光ピックアップにおいては、ミラー７において９０°全反射した直線偏光のレーザ光Ｌ１は、光路に対して若干傾斜した積層１／４波長板１５に入射した後、円偏光に変換されたレーザ光Ｌ５となって透過する。積層１／４波長板１５は、第一の波長板１６と第二の波長板１７とにより構成され、図１において示したように光路より若干傾斜させて配置した際に生じる第一の波長板１６と第二の波長板１７の光学軸のずれを予め見越し、第一の波長板１６と第二の波長板１７の光学軸をずらして積層するようにした積層波長板であり、直線偏光のレーザ光Ｌ１を円偏光に変換可能である。
【００２５】
レーザ光Ｌ５は、対物レンズ１０により集光され光ディスク６に形成したピット８上で反射し、レーザ光Ｌ６となって対物レンズ１０を介して積層１／４波長板１５に入射する。この時、レーザ光Ｌ５とＬ６は、互いに回転方向が異なる円偏光であり、互いに干渉しないため光学特性の劣化を招くことはない。積層１／４波長板１５に入射したレーザ光Ｌ６は、直線偏光のレーザ光Ｌ７となって透過する。この時、レーザ光Ｌ１とＬ７は、互いに直交した直線偏光となり互いに干渉しないので光学特性の劣化が生ずることは無い。
【００２６】
図２（ｂ）は、傾斜させた本発明に係わる積層１／４波長板１５を入射面から見た実効主面内方位角を示し、θ１’は、入射する光線の入射偏波面と第一の波長板の光学軸を入射する光線に垂直な面に投影したものとのなす角度を示し、θ２’は、入射する光線の入射偏波面と第二の波長板の光学軸を入射する光線に垂直な面に投影したものとのなす角度を示し、積層１／４波長板１５を傾斜させた状態でθ１’＝θ２’の関係を満足する。
図２（ｃ）は、傾斜させた本発明に係わる積層１／４波長板１５に、所定の入射角でレーザ光が入射した際のレーザ光が透過する様子を示す。ミラー７を反射したレーザ光Ｌ１は、第一の波長板１６へΨの角度で入射し、例えば、積層１／４波長板１５を水晶基板により構成すると、水晶基板の屈折率ｎ’によりΨ’の角度で屈折する。レーザ光Ｌ１は、同じ屈折率である第二の波長板１７をそのままの入射角で透過し、所定の屈折率で空気中に出射される。
【００２７】
ここで、空気の屈折率をｎ、水晶基板の屈折率をｎ’、第一の波長板１６への入射角をΨ、水晶基板の屈折角をΨ’とすると、
ｎ・ｓｉｎΨ＝ｎ’・ｓｉｎΨ’
の関係式を満足することから、
Ψ’＝ｓｉｎ−１｛（ｎ／ｎ’）・ｓｉｎΨ｝・・・（１）
となる。
【００２８】
次に、本発明に係わる積層１／４波長板１５の設計方法について説明する。
図３は、本発明に係わる積層１／４波長板１５において、第一の波長板１６と第二の波長板１７夫々の光学軸の関係を説明する図である。図において、第一の波長板１６の板面法線と光学軸のなす角度をβ１、入射する光線の入射偏波面と第一波長板１６の光学軸を板面に投影したものとのなす角度をθ１、レーザ光の入射角（積層１／４波長板１５の傾斜角）をΨ、第二の波長板１７の板面法線と光学軸のなす角度をβ２、入射する光線の入射偏波面と第二の波長板１７の光学軸を板面に投影したものとのなす角度をθ２、とし、一方、前述したように、入射する光線の入射偏波面と第一の波長板１６の光学軸を入射する光線に垂直な面に投影したものとのなす角度をθ１’、入射する光線の入射偏波面と第二の波長板１７の光学軸を入射する光線に垂直な面に投影したものとのなす角度をθ２’とすると以下の関係式を満足する。
【００２９】
第一の波長板１６において、
θ１’＝ｔａｎ−１｛ｔａｎθ１・ｃｏｓΨ’＋
ｔａｎ（π−β１）・ｃｏｓΨ’・ｔａｎΨ’／ｃｏｓθ１｝・・・（２）
一方、第二の波長板１７において、
θ２’＝ｔａｎ−１｛ｔａｎθ２・ｃｏｓΨ’＋
ｔａｎ（π−β２）・ｃｏｓΨ’・ｔａｎΨ’／ｃｏｓθ２｝・・・（３）
【００３０】
そこで、本発明においては、積層１／４波長板１５を所定の角度Ψで傾斜させた際に、第一の波長板１６と第二の波長板１７との光学軸が重なり合っているように見えるので、
θ１’＝θ２’・・・（４）
の関係式を満足するように、第一の波長板１６と第二の波長板１７とを設計して積層すればよい。
【００３１】
従って、（２）、（３）、（４）式より、
ｔａｎ−１｛ｔａｎθ１・ｃｏｓΨ’＋
ｔａｎ（π−β１）・ｃｏｓΨ’・ｔａｎΨ’／ｃｏｓθ１｝＝
ｔａｎ−１｛ｔａｎθ２・ｃｏｓΨ’＋
ｔａｎ（π−β２）・ｃｏｓΨ’・ｔａｎΨ’／ｃｏｓθ２｝・・・（５）
の関係式を満足する。
【００３２】
そこで、（５）式のΨ’に、前記（１）式のΨ’を代入すると、パラメータθ１、θ２と、積層１／４波長板１５の傾斜角Ψ、β１、β２との関係式が得られる。ここで、β１、β２は、水晶基板の切断角度により一義的に決まる値であり、又、傾斜角Ψは、光ピックアップの仕様に基づいて指定される値であるので、これらの数値を（５）式に当てはめると、第一の波長板１６と第二の波長板１７の夫々の予めずらしておく必要のある光学軸の角度θ１、θ２の関係式が求まり、（５）式を満足するθ１、θ２を求めて第一の波長板１６と第二の波長板１７を積層する際の積層角度とする。
【００３３】
次に、本設計方法を用いて決定した積層１／４波長板１５の位相特性と楕円率をシミュレーションにより求めた。
図４は、本発明に係わる積層１／４波長板１５を光路に対して若干傾斜させて配置した際の出射光の位相特性及び楕円率を示す例である。図４は、横軸にレーザ光の波長（ｎｍ）を示し、左側縦軸は位相特性を示し、右側縦軸は楕円率を示し、本例は波長６５０ｎｍのレーザ光に対応した積層１／４波長板１５の特性について示す。図４の特性によれば、位相特性は６５０ｎｍ近辺で９０°となり、楕円率は同じく６５０ｎｍ近辺で１となって円偏光であることを示す。
【００３４】
次に、本発明に係わる積層１／４波長板を光ピックアップに用いた場合について説明する。
図５は、本発明に係わる光ピックアップの実施例を示す構成図である。光ピックアップ１８は、所定の波長のレーザ光を出射するＬＤ２と、ＬＤ２が出射したレーザ光を回折して３ビーム化するグレーティング３と、所定の方向からのレーザ光を透過、或いは反射するビームスプリッタ４と、ビームスプリッタ４を透過したレーザ光を平行光とするコリメートレンズ５と、光ディスク６に向かってレーザ光を反射するミラー７と、ミラー７により反射された直線偏光のレーザ光を円偏光に変換すると共に光ディスク６に形成したピット８により反射した円偏光のレーザ光を直線変更に変換する積層１／４波長板１５と、積層１／４波長板１５を透過するレーザ光を光ディスク６に形成したピット８に集光して照射する対物レンズ１０と、光ディスク６に形成したピット８により反射したレーザ光を検出する光検出部１１とにより構成する。
【００３５】
図５の動作を説明すると、ＬＤ２から出射した所定の波長のレーザ光は、グレーティング３に入射され、３ビーム法によるトラッキング制御を行うためレーザ光は３ビームに分かれて出射する。グレーティング３を出射したレーザ光は、ビームスプリッタ４をそのまま透過してコリメートレンズ５に入射し、平行光となる。次に、平行光となったレーザ光は、ミラー７において９０°全反射して積層１／４波長板１５に入射し、直線偏光であったレーザ光を円偏光に変換して透過して、対物レンズ１０に入射する。積層１／４波長板は、光路に対して若干傾斜して配置されている。対物レンズ１０においては、入射したレーザ光を集光し、光ディスク６に形成したピット８に照射する。
【００３６】
一方、光ディスクに形成したピット８において反射してレーザ光は、対物レンズ１０を介して積層１／４波長板１５に入射し、円偏光であったレーザ光を直線偏光に変換し、透過する。
積層１／４波長板１５を透過したレーザ光は、ミラー７において９０°全反射し、コリメートレンズ５を介してビームスプリッタ４に入射する。ビームスプリッタ４に入射したレーザ光は、９０°全反射して出射し、光検出器１１に入射して、光検出を行う。
【００３７】
ここで、光ピックアップ１８の光路に配置された積層１／４波長板１５は、光路に対して若干傾斜して配置しても所定の機能を有するよう構成されており、光ピックアップ１８を構成する際に、積層１／４波長板１５を光路に対して若干傾斜して配置することにより、積層１／４波長板１５の入射面において反射する戻りレーザ光が、光ピックアップの光路上を伝播することはないので、ＬＤ２の発光点や光検出部１１の受光部に入射されることは無く、戻りレーザ光によるノイズの影響を排除することが出来る。
【図面の簡単な説明】
【００３８】
【図１】本発明に係る積層１／４波長板１５の入射方向から見た図であり、第一の波長板１６と第二の波長板１７の夫々の光学軸を示す。
【図２】本発明に係わる光ピックアップにおいて、積層１／４波長板１５を光路に対して若干傾斜させて配置した際の影響を説明する図である。
【図３】本発明に係わる積層１／４波長板１５において、第一の波長板１６と第二の波長板１７夫々の光学軸の関係を説明する図である。
【図４】本発明に係わる積層１／４波長板１５を光路に対して若干傾斜させて配置した際の出射光の楕円率及び位相特性例を示す。
【図５】本発明に係わる光ピックアップの実施例を示す構成図である。
【図６】従来の光ピックアップの構成例である。
【図７】従来の積層１／４波長板１２の外観図である。
【図８】従来の光ピックアップにおいて、積層１／４波長板１２を光路に対して若干傾斜させて配置した際の影響を説明する図である。
【図９】従来の積層１／４波長板１２を光路に対して若干傾斜させて配置した際の出射光の楕円率及び位相特性例を示す。
【符号の説明】
【００３９】
１・・光ピックアップ、                ２・・ＬＤ、
３・・グレーティング、                ４・・ビームスプリッタ、
５・・コリメートレンズ、              ６・・光ディスク、
７・・ミラー、                        ８・・ピット、
９・・１／４波長板、                １０・・対物レンズ、
１１・・光検出器、                    １２・・積層１／４波長板、
１３・・第一の波長板、                １４・・第二の波長板、
１５・・積層１／４波長板、            １６・・第一の波長板、
１７・・第二の波長板、                １８・・光ピックアップ
【図１】
2006040359.tif 000003
【図２】
2006040359.tif 000004
【図３】
2006040359.tif 000005
【図４】
2006040359.tif 000006
【図５】
2006040359.tif 000007
【図６】
2006040359.tif 000008
【図７】
2006040359.tif 000009
【図８】
2006040359.tif 000010
【図９】
2006040359.tif 000011